(57)【特許請求の範囲】
【請求項１】
被印刷体枚葉紙を搬送するための枚葉紙搬送ドラム（６）と、該枚葉紙搬送ドラム（６）のドラム断面形状に円形の外形輪郭を与える第１の動作モードで行われる被印刷体枚葉紙の支持のための、前記枚葉紙搬送ドラム（６）と適合する少なくとも１つの枚葉紙支持面（７）とを含む、被印刷体枚葉紙を処理する機械を運転する方法において、
前記機械が第１の動作モードで作動し、そのときには前記枚葉紙支持面（７）が前記枚葉紙搬送ドラム（６）に取り付けられた状態に保たれ、第１の動作モードから、前記枚葉紙搬送ドラム（６）のドラム断面形状に前記円形よりも細い外側輪郭を与える第２の動作モードへの切換の目的のために半自動式または全自動式に行われる前記枚葉紙搬送ドラム（６）の設備切換のとき、前記枚葉紙支持面（７）が前記枚葉紙搬送ドラム（６）から取り外されて機械式に前記機械の保管部（１０）に運び込まれ、保管されることを特徴とする、被印刷体枚葉紙を処理する機械を運転する方法。
【請求項２】
前記機械が少なくとも１つの別のこのような枚葉紙支持面（８）を含んでおり、すなわち、枚葉紙搬送ドラム（６）と適合する複数の枚葉紙支持面（７，８）を含んでおり、これらの枚葉紙支持面（７，８）は第１の動作モードでは前記枚葉紙搬送ドラム（６）に取り付けられた状態に保たれ、第２の動作モードでは前記枚葉紙搬送ドラム（６）から取り外されて前記保管部（１０）に保管される、請求項１に記載の方法。
【請求項３】
第１の動作モードから第２の動作モードへの切換の目的のために半自動式または全自動式に行われる前記枚葉紙搬送ドラム（６）の設備切換のとき、１つまたは各々の前記枚葉紙支持面（７）が、前記枚葉紙搬送ドラム（６）の回転の停止中に枚葉紙搬送ドラムから機械式に取り外される、請求項１または２に記載の方法。
【請求項４】
第２の動作モードから第１の動作モードへの切換の目的のために半自動式または全自動式に行われる前記枚葉紙搬送ドラム（６）の設備切換のとき、１つまたは各々の前記枚葉紙支持面（７）が機械式に前記枚葉紙搬送ドラム（６）へ運ばれる、請求項１から３までのいずれか１項に記載の方法。
【請求項５】
第２の動作モードから第１の動作モードへの切換の目的のために半自動式または全自動式に行われる前記枚葉紙搬送ドラム（６）の設備切換のとき、１つまたは各々の前記枚葉紙支持面（７）が、前記枚葉紙搬送ドラム（６）の回転の停止中に枚葉紙搬送ドラムに機械式に取り付けられる、請求項１から４までのいずれか１項に記載の方法。
【請求項６】
第１の動作モードでは、曲げに対して不安定な種類の被印刷体枚葉紙、第２の動作モードでは、曲げに対して安定した種類の被印刷体枚葉紙が、それぞれ前記機械によって印刷される、請求項１から５までのいずれか１項に記載の方法。
【請求項７】
被印刷体枚葉紙を搬送するための被印刷体搬送ドラム（６）と、枚葉紙支持面（７）が選択的に前記枚葉紙搬送ドラム（６）に取付け可能、かつ前記枚葉紙搬送ドラム（６）から取外し可能であるように前記枚葉紙搬送ドラム（６）と適合して構成された、被印刷体枚葉紙を支持するための少なくとも１つの枚葉紙支持面（７）とを含み、前記枚葉紙搬送ドラム（６）のドラム断面形状に円形の外形輪郭を与える第１の動作モードと、前記枚葉紙搬送ドラム（６）のドラム断面形状に前記円形よりも細い外側輪郭を与える第２の動作モードを有する、被印刷体枚葉紙を処理する機械において、
前記機械が、第２の動作モードで行われる前記枚葉紙支持面（７）の保管のために少なくとも１つの保管部（１０）を含み、
前記枚葉紙支持面（７）が、第１の動作モードでは前記枚葉紙搬送ドラム（６）に取り付けられ、第２の動作モードでは前記保管部（１０）に保管されて前記枚葉紙搬送ドラム（６）から取り外され、
前記機械のコンベヤ装置（１１）が、第１の動作モードから第２の動作モードへの切換の目的のために行われる前記枚葉紙搬送ドラム（６）の設備切換のとき、前記枚葉紙支持面（７）が前記コンベヤ装置（１１）によって機械式に前記保管部（１０）に運び込まれるように、半自動装置または全自動装置として構成されて制御される、
ことを特徴とする、被印刷体枚葉紙を処理する機械。
【請求項８】
前記機械が少なくとも１つの別のこのような枚葉紙支持面（８）を含んでおり、すなわち複数の枚葉紙支持面（７，８）を含んでおり、これらの前記枚葉紙支持面は、前記枚葉紙支持面（７，８）が前記機械の第１の動作モードでは前記枚葉紙搬送ドラム（６）に取り付けられ、前記機械の第２の動作モードでは前記保管部（１０）に保管されて枚葉紙搬送ドラム（６）から取り外されるように、前記枚葉紙搬送ドラム（６）と適合して構成されている、請求項７に記載の機械。
【請求項９】
前記機械の制御装置（１５）が、第１の動作モードから第２の動作モードへの切換の目的のために行われる前記枚葉紙搬送ドラム（６）の設備切換のとき、１つまたは各々の前記枚葉紙支持面（７）が、前記制御装置（１５）によってその際に維持される前記枚葉紙搬送ドラム（６）の回転の停止中に前記枚葉紙搬送ドラム（６）から機械式に取り外されるように、枚葉紙搬送ドラム（６）と制御技術的に接続されている、請求項７または８に記載の機械。
【請求項１０】
前記機械の別のコンベヤ装置または前記コンベヤ装置（１１）が、第２の動作モードから第１の動作モードへの切換の目的のために行われる前記枚葉紙搬送ドラム（６）の設備切換のとき、１つまたは各々の前記枚葉紙支持面（７）が前記コンベヤ装置（１１）によって前記枚葉紙搬送ドラム（６）へ運ばれるように、半自動装置または全自動装置として構成されて制御される、請求項７から９までのいずれか１項に記載の機械。
【請求項１１】
前記機械の制御装置（１５）が、第２の動作モードから第１の動作モードへの切換の目的のために行われる前記枚葉紙搬送ドラム（６）の設備切換のとき、１つまたは各々の前記枚葉紙支持面（７）が、前記制御装置（１５）によってその際に維持される前記枚葉紙搬送ドラム（６）の回転の停止中に前記枚葉紙搬送ドラムに機械式に取り付けられるように、前記枚葉紙搬送ドラム（６）と制御技術的に接続している、請求項７から１０までのいずれか１項に記載の機械。
【請求項１２】
前記機械が枚葉紙印刷機（１）である、請求項７から１１までのいずれか１項に記載の機械。
【発明の詳細な説明】
【技術分野】
【０００１】
本発明は、請求項１の前提項に記載されている、被印刷体枚葉紙を搬送するための枚葉紙搬送ドラムと、第１の動作モードで行われる被印刷体枚葉紙の支持のための、枚葉紙搬送ドラムと適合する少なくとも１つの枚葉紙支持面とを含む、被印刷体枚葉紙を処理する機械を運転する方法、請求項９の前提項に記載されている、被印刷体枚葉紙を搬送するための被印刷体搬送ドラムと、枚葉紙支持面が選択的に枚葉紙搬送ドラムに取付け可能かつ枚葉紙搬送ドラムから取外し可能であるように枚葉紙搬送ドラムと適合して構成された、被印刷体枚葉紙を支持するための少なくとも１つの枚葉紙支持面とを含む、被印刷体枚葉紙を処理する機械に関する。
【背景技術】
【０００２】
特許文献１には、さまざまな種類の枚葉紙支持面が意図された、枚葉紙搬送ドラムを備える枚葉紙印刷機が記載されている。処理されるべき印刷ジョブの印刷工学上のパラメータや被印刷体固有の複数のパラメータに応じて選択される枚葉紙支持面が枚葉紙搬送ドラムの上に設置される。その印刷ジョブに必要のない枚葉紙支持面は、枚葉紙印刷機の外部に保管されるものと思われる。設置された枚葉紙支持面は、後続する他の印刷ジョブがその交換を必要とする場合には、保管されている枚葉紙支持面の１つと交換することができる。
【０００３】
特許文献２には、枚葉紙搬送ドラムが２つの異なる種類の枚葉紙支持面を有しており、これらの枚葉紙支持面は両方とも枚葉紙搬送ドラムに恒久的に取り付けられる、枚葉紙印刷機が記載されている。印刷ジョブごとに、これらの枚葉紙支持面の一方が被印刷体枚葉紙を支持するための能動位置で用いられ、他方の枚葉紙支持面は受動位置で保管されるが、この受動位置のとき、使われない枚葉紙支持面は相変わらず枚葉紙搬送ドラムに取り付けられたままである。枚葉紙支持面のどちらが能動位置にあり、どちらが受動位置にあるかは、そのつどの印刷ジョブに応じて決まり、たとえば印刷ジョブが用紙シートの処理を必要とするか、それとも板紙シートの処理を必要とするかに応じて決まる。
【特許文献１】ドイツ実用新案明細書８６１１８３２Ｕ１
【特許文献２】欧州特許出願特許明細書０８３９６４９Ｂ１
【発明の開示】
【発明が解決しようとする課題】
【０００４】
上に挙げた前者の従来技術でも後者の従来技術でも、枚葉紙搬送ドラムの装備切換は、比較的長いセットアップ時間を要する、手作業で実施されるべき切換作業と結びついている。
【０００５】
したがって、本発明の目的は、切換時間短縮のための好都合な条件が整うような、被印刷体枚葉紙を処理する機械を運転する方法、およびこの方法の実施に適した機械を提供することである。
【課題を解決するための手段】
【０００６】
この目的は、請求項１の特徴を備える、冒頭に述べた方法分野に属する方法によって達成され、また、請求項７の特徴を備える、冒頭に述べた機械分野に属する機械によって達成される。
【０００７】
被印刷体枚葉紙を搬送するための枚葉紙搬送ドラムと、該枚葉紙搬送ドラムのドラム断面形状に円形の外形ドラムを与える第１の動作モードで行われる被印刷体枚葉紙の支持のための、枚葉紙搬送ドラムと適合する少なくとも１つの枚葉紙支持面とを含む、被印刷体枚葉紙を処理する機械を運転する本発明の方法は、前記機械が第１の動作モードで作動し、そのときには枚葉紙支持面が枚葉紙搬送ドラムに取り付けられた状態に保たれ、第１の動作モードから、前記枚葉紙搬送ドラムのドラム断面形状に細い外側輪郭を与える第２の動作モードへの切換の目的のために半自動式または全自動式に行われる前記枚葉紙搬送ドラムの設備切換のとき、枚葉紙支持面が枚葉紙搬送ドラムから取り外されて機械式に前記機械の保管部に運び込まれ、保管されることを特徴としている。
【０００８】
被印刷体枚葉紙を搬送するための被印刷体搬送ドラムと、枚葉紙支持面が選択的に枚葉紙搬送ドラムに取付け可能、かつ枚葉紙搬送ドラムから取外し可能であるように枚葉紙搬送ドラムと適合して構成された、被印刷体枚葉紙を支持するための少なくとも１つの枚葉紙支持面とを含む、この方法を実施するのに適した被印刷体枚葉紙を処理する本発明の機械は、前記機械が、第２の動作モードで行われる枚葉紙支持面の保管のために少なくとも１つの保管部を含み、枚葉紙支持面が、前記機械の第１の動作モードでは枚葉紙搬送ドラムに取り付けられ、前記機械の第２の動作モードでは保管部に保管されて枚葉紙搬送ドラムから取り外され、前記機械のコンベヤ装置が、第１の動作モードから第２の動作モードへの切換の目的のために行われる枚葉紙搬送ドラムの設備切換のとき、枚葉紙支持面がコンベヤ装置によって機械式に保管部に運び込まれるように、半自動装置または全自動装置として構成されて制御される、ことを特徴としている。
【０００９】
本発明により、枚葉紙搬送ドラムの設備切換の半自動化または完全自動化のための好都合な条件が整い、その結果として、切換時間を短縮するための条件も整う。
【００１０】
本発明では、枚葉紙支持面が機械の内部または表面に取り付けられてはいるが、そのとき、もはや枚葉紙搬送ドラムに取り付けられてはいない。枚葉紙案内面は、第２の動作モードでは、枚葉紙搬送ドラムとは異なる機械の機械部分に取り付けられ、したがって、第２の動作モードでは枚葉紙搬送ドラムとともに回転しない。つまり枚葉紙案内面は、第２の動作モードでは機械と別個に保管されるのではなく、機械に保管され、すなわち機械の内部または表面に取り付けられた状態で保管される。
本発明では、前述した枚葉紙支持面が第２の動作モードで機械の保管部に保管される。つまり機械は、第２の動作モードで行われる、前述した１つまたは各々の枚葉紙支持面の保管のために、少なくとも１つの保管部を含んでいる。機械は、一方の枚葉紙支持面のための第１の保管部と、他方の枚葉紙支持面のための第２の保管部とを含んでいてよく、すなわち、既存の各々の枚葉紙支持面のためにそれぞれ１つの独自の保管部を含んでいてよく、あるいはこれに代えて、枚葉紙搬送ドラムの両方もしくは全部の枚葉紙支持面のために、ただ１つの共通の保管部を含んでいてもよい。１つまたは複数の保管部は、１つまたは複数の枚葉紙支持面を、確実かつ保護された状態で一時的に保管しておくために好ましい。
さらに、本発明では、素早い設備切換という点で有利で、機械のコンベヤ装置が、第１の動作モードから第２の動作モードへの切換の目的のために半自動式または全自動式に行われる枚葉紙搬送ドラムの設備切換のとき、前述した１つまたは各々の枚葉紙支持面が機械式に保管部に運び込まれるように、半自動装置または全自動装置として構成されて制御される。
【００１１】
次に、従属請求項に記載されている本発明の発展例について、個々に短く説明する。
【００１２】
１つの発展例では、機械は少なくとも１つの別のこのような枚葉紙支持面を含んでおり、したがって、複数の枚葉紙支持面を含んでいる。これらの枚葉紙支持面は、枚葉紙支持面が機械の第１の動作モードでは枚葉紙搬送ドラムに取り付けられ、機械の第２の動作モードでは機械に保管されて枚葉紙搬送ドラムから取り外されるように、枚葉紙搬送ドラムと適合して構成されている。つまりこれらの枚葉紙支持面は、第１の動作モードでは枚葉紙搬送ドラムに取り付けられた状態に保たれ、第２の動作モードでは枚葉紙搬送ドラムから取り外されて機械に保管される。これらの枚葉紙支持面は、第１の動作モードではともに枚葉紙搬送ドラムに取り付けられ、第２の動作モードでは枚葉紙搬送ドラムから同時に取り外される。ここで説明している発展例は、２倍の大きさの枚葉紙搬送ドラムに関して好ましいだけでなく、第１の動作モードで、前述した両方の枚葉紙支持面に加えてさらに１つの枚葉紙支持面が取り付けられ、すなわち全部で３つの枚葉紙支持面が取り付けられる、３倍の大きさの枚葉紙搬送ドラムに関しても同じく好ましい。
【００１５】
別の発展例では、方法技術の観点から、第１の動作モードから第２の動作モードへの切換の目的のために半自動式または全自動式に行われる枚葉紙搬送ドラムの設備切換のとき、前述した１つまたは各々の枚葉紙支持面が、枚葉紙搬送ドラムの回転の停止中に枚葉紙搬送ドラムから機械式に取り外され、もしくは引き外されることが意図される。
【００１６】
この発展例の枠内では、機械工学の観点から、機械の制御装置が、第１の動作モードから第２の動作モードへの切換の目的のために半自動式または全自動式に行われる枚葉紙搬送ドラムの設備切換のとき、前述した１つまたは各々の枚葉紙支持面が、制御装置によってその際に維持される枚葉紙搬送ドラムの回転の停止中に枚葉紙搬送ドラムから機械式に取り外されるように、枚葉紙搬送ドラムと制御技術的に接続されることが意図される。回転の停止は、本発明との関連においては、版を版胴に供給したり版を版胴から運び出すために半自動式または全自動式に機能する装置との重要な相違点である。すなわち、このような自動式の版交換装置は、版を版胴に取り付けている間も、版を版胴から取り外している間も、版胴を回転させることを必要とする。
【００１７】
別の発展例では、機械の別のコンベヤ装置、またはすでに上に挙げた機械のコンベヤ装置は、第２の動作モードから第１の動作モードへの切換の目的のために半自動式または全自動式に行われる枚葉紙搬送ドラムの設備切換のとき、前述した１つまたは各々の枚葉紙支持面がコンベヤ装置によって機械式に枚葉紙搬送ドラムへ運ばれるように、半自動装置または全自動装置として構成されて制御される。それにより、１つまたは複数の枚葉紙支持面のサイズに基づいて多くのケースでは面倒なやり方でしか可能でない、手作業による枚葉紙支持面の取扱が回避される。
【００１８】
第２の動作モードから第１の動作モードへの切換の目的のために半自動式または全自動式に行われる枚葉紙搬送ドラムの設備切換のとき、（ただ１つの）枚葉紙支持面、または前述した各々の（すなわち枚葉紙搬送ドラムのために設けられた）枚葉紙支持面が、枚葉紙搬送ドラムの回転の停止中に枚葉紙搬送ドラムに機械式に取り付けられる発展例も、手作業で実施されるべき切換作業から操作員が解放されるという意味で同じく好ましい。そのために、機械の制御装置は、第２の動作モードから第１の動作モードへの切換の目的のために半自動式または全自動式に行われる枚葉紙搬送ドラムの設備切換のとき、前述した１つまたは各々の枚葉紙支持面が、制御装置によってその際に維持される枚葉紙搬送ドラムの回転の停止中に枚葉紙搬送ドラムに機械式に取り付けられるように、枚葉紙搬送ドラムと制御技術的に接続することができる。
【００１９】
機械が枚葉紙印刷機である場合、前述した両方の動作モードは、それぞれの動作モードで印刷されるべき被印刷体枚葉紙の種類に関して互いに異なっていてよい。第１の動作モードでは、曲げに対して不安定な種類の枚葉紙、たとえば用紙シート、第２の動作モードでは、曲げに対して安定した種類の枚葉紙、たとえば板紙シートが、それぞれ機械で印刷されることが意図されるのが好ましい。
【発明を実施するための最良の形態】
【００２０】
次に、本発明の実施の形態について図面を参照して説明する。
【００２１】
図示している各々の実施形態は、相前後して配置されたオフセット印刷のための印刷ユニット２，３を備える、列構造に構成された枚葉紙印刷機１に関するものである。枚葉紙印刷機１は、純粋な表面印刷動作と、両面印刷動作との間で選択的に切換可能な両面刷り印刷機である。枚葉紙の進行方向に見て前に配置された印刷ユニット２の圧胴４と、後に配置された印刷ユニット３の圧胴５との間には、印刷動作のとき、前に配置された圧胴４から被印刷体枚葉紙を直接引き取って、後に配置された圧胴５に直接引き渡す２倍の大きさの枚葉紙搬送ドラム６がある。圧胴４，５と枚葉紙搬送ドラム６は、被印刷体枚葉紙をクランプ固定する役目をし、ここでは１８０°である互いに等しい角度間隔で胴やドラムの円周に沿って分散されて配置された複数の、特に２つの、くわえづめ装置１２，１３をそれぞれ有している。
【００２２】
枚葉紙搬送ドラム６は、そのつどの要求に合わせて有効なドラム断面形状を変えることができる、いわゆるバリオドラムである。実質的に円形の外側輪郭をドラム断面形状に与えるために、必要に応じて枚葉紙支持面７，８を枚葉紙搬送ドラム６の基体９に取付可能である。細い外側輪郭、特に楕円形または菱形の外側輪郭をドラム断面形状に与えるために、必要に応じて枚葉紙支持面７，８を基体９から再び取外し可能である。枚葉紙支持面７，８がなければ、すなわちこれらが撤去されていれば、細い（楕円形または菱形の）輪郭をもつ基体９が有効となって、ドラム断面形状を規定する。枚葉紙搬送ドラム６は、純粋な表面印刷のとき、その際に設置される枚葉紙支持面７，８を使いながら、搬送に対して不安定な被印刷体枚葉紙、たとえば用紙シートだけでなく、搬送に対して安定した被印刷体枚葉紙、たとえば板紙シートにも、そのつどの印刷ジョブに応じてこの両種類の枚葉紙のどちらを印刷しなければならないかに応じて用いられる。両面印刷動作では、枚葉紙搬送ドラム６は枚葉紙支持面７，８を使いながら不安定な被印刷体枚葉紙にのみ用いられ、安定した被印刷体枚葉紙には、枚葉紙支持面７，８を使わずに用いられ、すなわち枚葉紙支持面７，８を基体９から取り外し撤去して用いられる。
【００２３】
枚葉紙支持面７，８は、その材料特性および／または起伏特性に基づき、被印刷体枚葉紙に印刷されたばかりでまだ十分に乾いていない印刷インキを反発する性質を有する、いわゆる裏移り防止面である。枚葉紙支持面７，８は、たとえばクロムまたはインキを反発するその他の材料でコーティングされていてよく、および／またはミクロの粗さまたはマクロの構造を備えていてよい。枚葉紙支持面７，８は、インキを反発する起伏を生地が形成する繊維材料、および／またはインキを反発する含浸材料に生地が浸された繊維材料で被覆されていてもよい。
【００２４】
枚葉紙印刷機１は、枚葉紙搬送ドラム６の外部に、かつその隣に配置された保管部１０を含んでおり、枚葉紙支持面７，８が被印刷体枚葉紙の搬送のために必要ないので枚葉紙搬送ドラム６から離れている枚葉紙印刷機の第１の動作モードの間、この保管部の中に枚葉紙支持面７，８が保管もしくは格納される。さらに、枚葉紙印刷機１は枚葉紙支持面７，８を運ぶためのコンベヤ装置１１を含んでいる。枚葉紙搬送ドラム６が、枚葉紙支持面７，８を半自動式または特に全自動式に設置するとき、このコンベヤ装置１１によって枚葉紙支持面７，８が保管部１０から枚葉紙搬送ドラム６に供給される。コンベヤ装置１１は、枚葉紙支持面７，８を使用後に枚葉紙搬送ドラム６から自動的に運び出し、再び保管部１０の中に戻す役目も果たす。
【００２５】
電子制御装置１５が、その内部に格納されているプログラムに従って、枚葉紙支持面７，８が自動的に設置、撤去されている間に枚葉紙搬送ドラム６と保管部１０とコンベヤ装置１１を制御する。制御装置１５は、印刷動作時に枚葉紙搬送ドラム６を回転させるモータと制御工学的に組み合わされており、設置されるべき枚葉紙支持面７または８が枚葉紙搬送ドラム６と最初に接触してから、枚葉紙支持面が最後に適正に設置されるまでの設置時間にわたって、モータおよびこれに伴う枚葉紙搬送ドラム６の回転を停止した状態に保つ。さらに、制御装置１５は保管部１０およびコンベヤ装置１１の駆動装置と制御工学的に組み合わされている。
【００２６】
次に、さまざまな実施形態について具体的に取り上げる。
【００２７】
図１に示す第１の実施形態では、枚葉紙支持面７，８は実質的に長方形の形状の薄くて柔軟なプレート、たとえば弾性作用のある鋼板や曲げ弾性的なシートである。保管部１０はカセットであり、枚葉紙搬送ドラム６の実質的に上側で、印刷ユニット３の版胴１１２および印刷ユニット３のタワー状に突出するローラフレーム１１３の高さに配置されている。保管部１０は枚葉紙支持面７，８のために複数の別個の面に区分されており、すなわち多重シャフト式に構成されており、保管部１０の内部での枚葉紙支持面７，８の送り方向とも一致する、実質的に垂直な長手方向に延びている。保管部１０は、ロールまたはレールで構成される、枚葉紙７，８のための案内部と、少なくとも１つの駆動部材１１４、特に駆動ロールとを備えており、この駆動部材が、それぞれの枚葉紙支持面７または８を保管部１０から押し出し、使用後には再び保管部１０の中へ引き戻す。保管部１０の後には、枚葉紙搬送ドラム６に向かって、およびこれから離れるように揺動可能に側壁に支持された案内部１１５と、同じく駆動ロールとして構成された駆動部材１１６とを含むコンベヤ装置１１が続いている。
【００２８】
枚葉紙搬送ドラム６は、互いに反対側にある両方のドラム軸端部の各々に、枚葉紙支持面７，８のために直径上に配置された２つの案内部１１７，１１８を有しており、すなわち全部で４つの案内部を有している。枚葉紙搬送ドラム６の案内部１１７，１１８は円弧状の案内軌道をそれぞれ規定しており、枚葉紙印刷機１で最大限処理可能な枚葉紙判型幅よりも側方へ外部にある。このように、圧胴５によって枚葉紙前縁で把持される各被印刷体枚葉紙の枚葉紙後端を、一方の案内部１１７と他方のドラム軸端部にあるその対応部品との間に通して、または他方の案内部１１８とその対応部品との間に通して、枚葉紙支持面７，８が取り外されたときに枚葉紙搬送ドラム６の基体９と、くわえづめ装置１２，１３の仮想的なくわえづめ飛行円１２１との間に口をあける実質的に三日月形の自由空間１１９および１２０の中へ、短時間に突入させることができる。案内部１１７，１１８は基体９と回転不能に結合されており、したがって、印刷動作のときに枚葉紙搬送ドラム６が回転すると、基体９とともに回転する。案内部１１７，１１８の案内軌道はくわえづめ飛行円１２１と同心であり、くわえづめ飛行円よりも若干小さい曲率半径を有しているので、枚葉紙支持面７，８が案内部１１７，１１８の内または外に載ると、枚葉紙支持面７，８はくわえづめ飛行円１２１と半径方向にほぼ一直線上に並ぶ。
【００２９】
コンベヤ装置１１の案内部１１５は、少なくともその下側区域が、前に配置された圧胴４に向かって延びており、保管部１０に対して相対的に若干傾いており、すなわち緩やかな角度をなしている。案内部１１５の自由案内端は、図１に仮想線で図示しているように、第１の位置と第２の位置へ選択的に揺動することができる。第１の位置のとき、案内部１１５は枚葉紙搬送ドラム６に近づくように位置調節され、自由案内端は、駆動部材１１４，１１６によって駆動される枚葉紙支持面７または８を、案内部１１５から、枚葉紙搬送ドラム６の対応する案内部１１７または１１８の中に押し込めるように、枚葉紙搬送ドラム６の案内部１１７，１１８の一方と向かい合う。第２の位置のとき、案内部１１５の自由案内端は枚葉紙搬送ドラム６から離れるように位置調節され、その自由案内端は、枚葉紙搬送ドラム６の対応する案内部と向かい合わない。印刷動作中、案内部１１５はこの第２の位置をとっている。第１の位置および第２の位置のどちらの位置でも、自由案内端は、前に配置された圧胴４と枚葉紙搬送ドラム６との共通の仮想的な接線上の点のすぐ近くにある。この接線上の点は、その領域で圧胴４から枚葉紙搬送ドラム６へ被印刷体枚葉紙の引渡が行われるので、枚葉紙引渡点とも呼ばれる。
【００３０】
図２から図５に示す第２の実施形態では、枚葉紙支持面７，８、案内部２１７，２１８を含めた枚葉紙搬送ドラム６、揺動可能な案内部２１５を含めたコンベヤ装置１１、および駆動部材２１４，２１６は、第１の実施形態（図１）のときと同じ性質を備えている。そのことを明示するために、図１にそれぞれ値１００を足した符号２１４から２１８が、図１の部品１１４から１１８と同じ構造の部品に使われている。
【００３１】
しかし第１の実施形態とは異なり、第２の実施形態では、保管部１０およびこれと接続されたコンベヤ装置１１は、圧胴４および枚葉紙搬送ドラム６の下側に配置されており、保管部１０の中での枚葉紙支持面７，８の送り方向でもある保管部１０の長手方向が、実質的に水平になるような方向を向いている。図３の図面を見るとわかるように、案内部２１７，２１８はその案内軌道に沿って配置されたガイドロール２１９を備えており、これらのガイドロール２１９に対して、自動的に設置または撤去されるべきそのつどの枚葉紙支持面（図３では一例として枚葉紙支持面８）が駆動部材２１６によって押し付けられ、この駆動部材はその際に枚葉紙支持面８の上で転動し、それによってこの枚葉紙支持面８を摩擦で前進させる。駆動部材２１６は、枚葉紙支持面８を運ぶときにその上で転動するゴム弾性的な円周表面を有している。駆動部材２１６が、印刷動作のときに回転する枚葉紙搬送ドラム６と衝突しないようにするために、駆動部材２１６は揺動レバー２２０により、印刷動作の開始前に枚葉紙搬送ドラム６から逃がすことが可能なように支持されている。
【００３２】
保管部１０は、一方の枚葉紙支持面７を収容するための第１のシャフト２２１と、他方の枚葉紙支持面８を収容するための別の第２のシャフト２２２とを備えており、両方のシャフト２２１，２２２は相並んで配置され、分離壁等によって互いに分けられている。このように、保管部１０は枚葉紙支持面７，８のための異なる棚に区分されている。したがって、同じく弾性的な外周表面を備える駆動ロールである駆動部材２１４も保管部１０に複数配置されており、すなわち、１つのシャフト２２１，２２２ごとに少なくとも１個が配置されている。各々のシャフト２２１，２２２は、図３では第１のシャフト２２１を例にとって仮想線で図示している独自の直線的な案内軌道２２３を有している。この案内軌道２２３は１列に配置されたガイドロール２２４によって規定されるが、それに代えて、ガイドロール２２４に代わるガイドレールによって規定されていてもよいであろう。駆動部材２１４は、各枚葉紙支持面７または８をガイドロール２２４に押し付け、その枚葉紙支持面の上で転動することによって、案内軌道２２３に沿った枚葉紙支持面の送りを生じさせる。駆動部材２１６によって設定されるクランプ点もしくは接点２２５は、第１のシャフト２２１の案内軌道２２３と一直線上に並んで位置するのではなく、第２のシャフト２２２の案内軌道と一直線上にあるのでもない。その結果、設置されるべき枚葉紙支持面８は、設置時に駆動部材２１６によって枚葉紙搬送ドラム６に向かって曲がり、案内部２１７の形状に合うように、もしくは枚葉紙搬送ドラム６にぴったり密着するように強制される。
【００３３】
枚葉紙搬送ドラム６への枚葉紙支持面７，８の確実な取付は、各々の案内部２１７，２１８に１組の保持装置が付属していることによって成り立っており、各組の保持装置は、枚葉紙搬送ドラム６の回転方向に見て前方にある枚葉紙支持面７または８の支持面端部を保持するための前側の保持装置２２６と、この枚葉紙支持面の後方にある支持面縁部もしくは後縁を保持するための後側の保持装置２２７とを有している。
【００３４】
枚葉紙支持面７，８が、２つの保持装置２２６，２２７によって端部側でそれぞれ固定される、枚葉紙搬送ドラム６に設置された状態にあるとき、枚葉紙支持面７，８は、保持装置２２６，２２７の間に位置する長さ区域で、ガイドローラ２１９を介して、ガイドローラ２１９が実質的にドラム半径方向に付勢されるばね２２８によって外方に向かって押圧され、それにより、形状安定性を確保させる曲げ応力のもとに保たれる。枚葉紙支持面７，８のこのような弾性支持により、設置状態での枚葉紙支持面の凸面状のシェル状の形態、もしくは実質的に円弧状の曲げ曲線が、設置状態のときに確実に保証される。
【００３５】
図４は、前側の保持装置２２６を詳細図で示しているので、その爪状の断面形状を良く見ることができる。前側の保持装置２２６は、枚葉紙搬送ドラム６の回転軸に対して相対的に平行なレールとして構成されており、枚葉紙支持面８がスリット２２９に挿入されたときにこれをセンタリングする目的で入口側が面取りされたスリット２２９を有している。スリット２２９は、印刷運転のときの枚葉紙搬送胴６の回転方向（図３では時計回りの方向）を向くスリット側では、スリット底面によって閉じられており、これと反対側の、受け取られるべき枚葉紙支持面８のほうを向いているスリット側では開いている。前側の保持装置２２６は、枚葉紙支持面８がスリット２２９もしくはその閉じた側の底面に当ったとき、枚葉紙支持面８の先細になった前縁に対するストッパとして機能し、前縁が前側の保持装置２２６に差し込まれているときには、そのドラム半径方向の位置の固定も行う。
【００３６】
図５は、後側の保持装置２２７を詳細図で示しており、後側の保持装置２２７が係止フラップとして構成されており、入口側が面取りされたスリット２３２を備える、枚葉紙搬送ドラム６の回転ジョイント２３０の回りに揺動可能なレール２３１を含んでいる様子を見ることができる。保持装置２２６，２２７の両方のレールは、それぞれのスリットが実質的に互いに向き合うように配置されている。両方のレールは横木として、枚葉紙搬送ドラム６の回転軸と相対的に平行な長手方向に、実質的にドラム長さ全体にわたって延びている。後側の保持装置２２７のレール２３１には、初期荷重によって後側の保持装置２２７もしくはそのレール２３１を実質的に前側の保持装置２２６に向かって係合位置または保持位置へ位置調節し、その際に、同じく先細の断面形状をもつスリット２３２を枚葉紙支持面８の後縁にかぶせようとする復帰ばね２３３が付属している。後側の保持装置２２７には、案内部２１５が回転を止めた枚葉紙搬送ドラム６に向かって位置調節されたときに、案内部２１５（図３参照）が接触可能な接触ロール２３４が取り付けられている。案内部２１５と後側の保持装置２２７との接触により、枚葉紙支持面８の供給経路または搬出経路が空いて、もはや後側の保持装置２２７によって遮られなくなるまで、後側の保持装置２２７が案内部２１５により復帰ばね２３３の作用に抗して枚葉紙搬送ドラム６の内部に押し戻される。それから後側の保持装置２２７は、枚葉紙搬送ドラム６への枚葉紙支持面８の設置が完了して案内部２１５が再び枚葉紙搬送ドラム６から離れるように位置調節され、その結果、復帰ばね２３３が、設置された枚葉紙支持面８に向かって後側の保持装置２２７を位置調節して、この枚葉紙支持面８と係合させて保持するまで、枚葉紙支持面８から引き戻された待機位置または受動位置２２７．２にある。後側の保持装置２２７は、案内部２１５が再び揺動して離れた後に、いわば自動的に装着される。
【００３７】
図６から図８には第３の実施形態が示されている。この図面に符号３１４，３１６，３１７から３１９，３２１，３２２，３２４から３３４が付されている部品は、第２の実施形態（図２から図５参照）の部品２１４，２１６，２１７から２１９，２２１，２２２，２３４から２３４に列挙順で設計的に対応しているので、これらの部品の性質について再度説明する必要をみない。以下においては、第３の実施形態が第２の実施形態と異なっている特徴について説明する。
【００３８】
第３の実施形態では、保管部１０は実質的に円環切片状に構成されており、その両方のシャフト３２１，３２２の案内軌道は、枚葉紙搬送ドラム６もしくはそのくわえづめ飛行円と同心である。案内ロール３２４によって規定される両方の円弧状の案内軌道は互いに同心に、シャフト３２１，３２２の長さにわたって延びている。保管部１０には、枚葉紙支持面を搬送するための能動位置（図７：実線）と、印刷動作のための衝突しない受動位置（図７：仮想線）とへ選択的に揺動可能に支持された切換器３３５が続いており、この切換器３３５では、枚葉紙支持面７，８のどちらの送り方向から切換器３３５を見るかによって、両方の案内軌道は統合されているか、もしくは二股になっている。
【００３９】
図８には切換器３３５が詳細に示されており、この図から明らかなように、第１の切換ロール３３６と第２の切換ロール３３７がこの切換器３３５の主要な（切換）部材である。切換ロール３３６，３３７は、第１の切換位置３３６．１および３３７．１と、第２の切換位置３３６．２および３３７．２とへそれぞれ選択的に揺動可能なように支持されている。切換ロール３３６，３３７が第１の切換位置３３６．１および３３７．１へ位置調節されると、切換器３３５が枚葉紙支持面８を第２のシャフト３２２へ運び込む、またはこのシャフト３２２から運び出す、切換器３３５の切換位置が生じる。それに対して第２の切換位置３３６．２および３３７．２は、他方の枚葉紙支持面７が切換器３３５によって第１のシャフト３２１に運び込まれ、またはこのシャフト３２１から運び出される、他方の切換位置を成立させる役目をする。
【００４０】
第３の実施形態では第２の実施形態と異なり、可動の案内部２１５に匹敵するような案内部は設けられておらず、そのような案内部はまったく必要でもないので、後側の保持装置３２７のロックとロック解除は、枚葉紙搬送ドラム６とともに行われる運動によって引き起こされる。枚葉紙搬送ドラム６のこのような運動もしくは回転の過程で、後側の保持装置３２７もしくはその接触ロール３３４は切換器３３５に突き当たり、すなわち、枚葉紙搬送ドラム６の外部に定置に配置されたカム３３８に突き当たる。カム３３８は、実質的に、枚葉紙搬送ドラム６の回転軸を中心とするドラム回転中に後側の保持装置３２７が描く仮想的な飛行円３３９に対する割線として延びており、したがって、仮想的な交点Ｓで飛行円３３９と交わっている。この交点Ｓで、後側の保持装置３２７もしくはその接触ロール３３４が、図８に矢印で図示している枚葉紙搬送ドラム６の回転の過程でカム３３８に突き当たり、その結果、後側の保持装置３２７は、突き当たった後に回転が停止するまで行われる、枚葉紙搬送ドラム６のわずかなさらなる回転の過程で、復帰ばね３３３の作用に抗して、カム３３８により案内部３１７から離れるようにドラム内部へと押し戻される。枚葉紙搬送ドラム６はその直後、各枚葉紙支持面７または８の設置（または撤去）のために必要な回転角位置で停止し、その間、枚葉紙搬送ドラム６は図７に示すこの回転角位置にあり、後側の保持装置３２７は図８に示す押し戻された受動位置にある。枚葉紙支持面の自動的に行われる設置の後、枚葉紙搬送ドラム６が再びさらに回転すると、後側の保持装置３２７もしくはその接触ロール３３４は再びカム３３８と接触しなくなり、その結果、後側の保持装置３２７は復帰ばね３３３によって、枚葉紙支持面の後端を固定するのに必要な係合位置または保持位置へ戻るように自動的に位置調節される。
【００４１】
第２の実施形態に対して第３の実施形態が備えているさらに別の特別な点は、第３の実施形態では、枚葉紙搬送ドラム６の回転方向に見て、駆動部材３１６が枚葉紙搬送ドラム６と圧胴５との共通の枚葉紙引渡点Ｐ6/5よりも後に配置されており、かつ、他の圧胴４と枚葉紙搬送ドラム６との共通の枚葉紙引渡点Ｐ4/6よりも前に配置されていることにある（第２の実施形態では、駆動部材２１６は枚葉紙引渡点Ｐ4/6よりも後に配置され、かつ、枚葉紙引渡点Ｐ6/5よりも前に配置されている）。換言すれば、第３の実施形態ではこのような駆動部材がドラムの上側半分に割り当てられており、第２の実施形態ではドラムの下側半分に割り当てられている。
【００４２】
枚葉紙支持面７または８が特定の送り位置に達した後に行われる、一方の駆動部材３１４から他方の駆動部材３１６へのこの枚葉紙支持面の引渡は、原則として、上に説明した他の実施形態とまったく同様にして行われる。すなわち、引渡をしている間、枚葉紙支持面は一時的に同時に両方の駆動部材３１４，３１６によってそのつど必要な供給方向または搬出方向へと押し進められ、その様子は図６に一例として図示されている。運ばれるべき枚葉紙支持面は、前述した引渡段階の前には駆動部材３１４，３１６の一方だけで押し進められ、この引渡段階の後も、駆動部材３１４，３１６の他方だけによって押し進められる。
【００４３】
図９には、保管部１０が、シャフト４２１，４２２に付属する駆動部材（駆動ロール）４１４も含めて、第３の実施形態（図６から図８参照）とまったく同様に構成され、枚葉紙印刷機１の下側で枚葉紙搬送ドラム６の隣に配置される第４の実施形態が示されている。
【００４４】
枚葉紙支持面７，８が、設置または撤去の目的のために必要な搬送の途中で可逆的に曲がる柔軟なプレートである、上に説明したすべての実施形態と異なり、第４の実施形態の枚葉紙支持面７，８は、そのように搬送中に曲がることができず、形状がずっと維持される硬質のシェルである。
【００４５】
この理由から、枚葉紙支持面７，８を設置時に保管部１０から離れるように保持部４２４，４２５に向かって持ち上げ、撤去時には再び保管部１０に向かって持ち上げる持上げ装置４２３が設けられている。保持部４２４，４２５は、ドラム内部の案内部（図１、図２、図６の符号１１７，１１８；２１７，２１８；３１７，３１８参照）に代えて、枚葉紙搬送ドラム６に配置されている。持上げ装置４２３が枚葉紙搬送ドラム６の外部に、たとえば機械フレームに定置に配置されている場合、この持上げ装置４２３のただ１つのセットが、両方の保持部４２４、４２５に枚葉紙支持面７，８を順次装入することができる。そうでない場合、保持装置がドラム内部に配置されているときは、すなわち、回転時に一緒に回転するように枚葉紙搬送ドラム６に配置されているときは、持上げ装置４２３を複数配置し、それにより、各々の保持部に、それぞれ別の独自の持上げ装置４２３を割り当てるのが好ましい。
【００４６】
１つまたは各々の持上げ装置４２３は、中空の断面形状をもち、保持部４２４，４２５および枚葉紙支持面７，８の湾曲に合っている支持体４２６を含んでおり、この支持体４２６の中へ、設置されるべき枚葉紙支持面が相応の駆動部材４１４によって差し込まれ、もしくはこの支持体４２６から、撤去時にこの枚葉紙支持面が駆動部材４１４によって再び引き出される。支持体４２６は、たとえば長さ全体にわたって湾曲した管材であってよい。支持体４２６は、リンク機構の構成要素である少なくとも１つの揺動レバー４２７により、保管部１０と各保持部４２４または４２５との間で、その際に支持体４２６が描く仮想的な曲線軌道に沿って往復運動可能なように支持されているので、支持体の内部に収められた枚葉紙支持面を、保持部４２４または４２５へ的確に挿入したり、保管部１０に差し込んだりすることができる。
【００４７】
ここで付言しておかなくてはならないが、枚葉紙搬送ドラム６に各枚葉紙支持面７，８を設置している間に、および撤去している間に枚葉紙搬送ドラム６が回転しないことは、本明細書に記載されている４つのどの実施形態にも共通している。このことは、当然ながら、枚葉紙搬送ドラム６が制御装置１５で進行するプログラムに従って、第１のステップで行われる第１の枚葉紙支持面７の設置（もしくはそれに代えて撤去）の後、かつ、第２のステップで行われる第２の枚葉紙支持面８の設置（もしくはそれに代えて撤去）の前に、枚葉紙搬送ドラム６への第１の枚葉紙支持面７の取付けまたは取外しに適した回転角位置から、枚葉紙搬送ドラム６への第２の枚葉紙支持面８の取付けまたは取外しに適した回転角位置へとモータで回転することを排除するものではない。このような場合、自動的に行われる両方の組付けステップ（もしくは取外しステップ）の間に行われる回転角位置の変更は、各枚葉紙支持面のために枚葉紙搬送ドラム６に配置された案内部や保持部を、保管部１０に対して相対的に正しい相対位置へと位置調節する役目を果たすにすぎない。
【００４８】
いずれの実施形態でも、枚葉紙支持面７，８の保守に役立つ追加装置もしくは補助装置、たとえば保管部１０に保管されている枚葉紙支持面７，８を洗浄するための洗浄装置などを、保管部１０に備え付けることが可能である。
【図面の簡単な説明】
【００４９】
【図１】実質的に垂直方向を向いた、枚葉紙支持面を保管するためのラックを備える第１の実施形態を示す図である。
【図２】水平方向を向いたラックもしくは保管部を備える、第２の実施形態を示す図である。
【図３】水平方向を向いたラックもしくは保管部を備える、第２の実施形態を示す図である。
【図４】水平方向を向いたラックもしくは保管部を備える、第２の実施形態を示す図である。
【図５】水平方向を向いたラックもしくは保管部を備える、第２の実施形態を示す図である。
【図６】枚葉紙支持面が曲げ弾性的であり、保管部が湾曲している、第３の実施形態を示す図である。
【図７】枚葉紙支持面が曲げ弾性的であり、保管部が湾曲している、第３の実施形態を示す図である。
【図８】枚葉紙支持面が曲げ弾性的であり、保管部が湾曲している、第３の実施形態を示す図である。
【図９】枚葉紙支持面が曲げ剛性を有している、第４の実施形態を示す図である。
【符号の説明】
【００５０】
１  枚葉紙印刷機
２  印刷ユニット
３  印刷ユニット
４  圧胴
５  圧胴
６  枚葉紙搬送ドラム
７  枚葉紙支持面
８  枚葉紙支持面
９  基体
１０  保管部
１２  くわえづめ装置
１３  くわえづめ装置
１５  制御装置
１１２  版胴
１１３  ローラフレーム
１１４  駆動部材
１１５  案内部
１１６  駆動部材
１１７  案内部
１１８  案内部
１１９  自由空間
１２０  自由空間
１２１  くわえづめ飛行円
２１４  駆動部材
２１５  案内部
２１６  駆動部材
２１７  案内部
２１８  案内部
２１９  ガイドロール
２２０  揺動レバー
２２１  第１のシャフト
２２２  第２のシャフト
２２３  案内軌道
２２４  ガイドロール
２２５  クランプ点もしくは接点
２２６  前側の保持装置
２２７  後側の保持装置
２２７．２  受動位置
２２８  ばね
２２９  スリット
２３０  回転ジョイント
２３１  レール
２３２  スリット
２３３  復帰ばね
２３４  接触ロール
３１４  駆動部材
３１６  駆動部材
３１７  案内部
３１８  案内部
３２１  第１のシャフト
３２２  第２のシャフト
３２４  ガイドロール
３２５  クランプ点もしくは接点
３２６  前側の保持装置
３２７  後側の保持装置
３２７．２  受動位置
３２８  ばね
３２９  スリット
３３０  回転ジョイント
３３１  レール
３３２  スリット
３３３  復帰ばね
３３４  接触ロール
３３５  切換器
３３６  第１の切換ロール
３３６．１  第１の切換位置
３３６．２  第２の切換位置
３３７  第２の切換ロール
３３７．１  切換位置
３３７．２  第２の切換位置
３３８  カム
３３９  飛行円
４１４  駆動部材
４２１  シャフト
４２２  シャフト
４２３  持上げ装置
４２４  保持部
４２５  保持部
４２６  支持体
４２７  揺動レバー
【図１】
0004642365.tif 000002
【図２】
0004642365.tif 000003
【図３】
0004642365.tif 000004
【図４】
0004642365.tif 000005
【図５】
0004642365.tif 000006
【図６】
0004642365.tif 000007
【図７】
0004642365.tif 000008
【図８】
0004642365.tif 000009
【図９】
0004642365.tif 000010